(57)【特許請求の範囲】
【請求項１】
表示面が同一方向に向くようにし表示面の前方から見て円形に配置された複数の表示部と、
上記複数の表示部のそれぞれに映像を表示させるように当該複数の表示部を制御する制御部と、
上記複数の表示部のそれぞれを３次元空間上の任意の位置に可動自在に支持する支持部と、
上記映像のジャンルを判別するためのジャンル情報を外部から取得するジャンル情報取得部と
を具え、
上記制御部は、
上記複数の表示部のそれぞれを表示面が同一方向に向くようにして３次元空間上の所定位置に可動させるように上記支持部を制御し、
さらに上記制御部は、
上記複数の表示部のそれぞれに表示させている上記映像のジャンルを上記ジャンル情報に基づいて判別し、同じジャンルの上記映像が複数存在する場合に、当該同じジャンルの映像を表示させている上記表示部を近接させるように上記支持部を制御する
映像表示装置。
【請求項２】
上記映像のジャンルをジャンル履歴情報として記憶するジャンル履歴情報記憶部をさらに具え、
上記制御部は、
上記ジャンル履歴情報記憶部に記憶されている上記ジャンル履歴情報に基づいて上記複数の表示部に表示する上記映像のジャンルを選択し、当該選択したジャンルの上記映像を上記複数の表示部のそれぞれに表示させるように当該複数の表示部を制御する
請求項１に記載の映像表示装置。
【請求項３】
制御部が、表示面が同一方向を向くようにし表示面の前方から見て円形に配置された複数の表示部のそれぞれに映像を表示させるように当該複数の表示部を制御する制御ステップと、
ジャンル情報取得部が、上記映像のジャンルを判別するためのジャンル情報を外部から取得するジャンル情報取得ステップと
を具え、
上記複数の表示部のそれぞれは、支持部によって、３次元空間上の任意の位置に可動自在に支持され、
上記制御ステップでは、
上記制御部が、上記複数の表示部のそれぞれを表示面が同一方向に向くようにして３次元空間上の所定位置に可動させるように上記支持部を制御し、
さらに上記制御部が、上記複数の表示部のそれぞれに表示させている上記映像のジャンルを上記ジャンル情報に基づいて判別し、同じジャンルの上記映像が複数存在する場合に、当該同じジャンルの映像を表示させている上記表示部を近接させるように上記支持部を制御する
映像表示方法。
【請求項４】
上記制御ステップでは、
上記制御部が、ジャンル履歴情報記憶部に記憶されているジャンル履歴情報に基づいて上記複数の表示部に表示する上記映像のジャンルを選択し、当該選択したジャンルの上記映像を上記複数の表示部のそれぞれに表示させるように当該複数の表示部を制御する
請求項３に記載の映像表示方法。
【発明の詳細な説明】
【技術分野】
【０００１】
本発明は映像表示装置に関し、例えば複数の液晶パネルを有する映像表示装置に適用して好適なものである。
【背景技術】
【０００２】
従来、複数の液晶パネルを有し、これら各液晶パネルに映像を表示することにより、複数の映像を同時に提供し得るようになされた映像表示装置がある。そしてかかる映像表示装置として、複数の液晶パネルが同一平面上でかつ格子状に配置されたものや、直線上に配置されたものがある（例えば特許文献１参照）。
【特許文献１】特開平１０−５１７１０号公報
【発明の開示】
【発明が解決しようとする課題】
【０００３】
ところで、複数の液晶パネルが格子状に配置された上述の映像表示装置では、ユーザが各液晶パネルに表示された映像を見る際に、視線を上下左右及び斜め方向に頻繁に動かす必要がある。このようにあらゆる方向に視線を動かことは、視線の動きをスムーズにできずユーザの目を疲れさせる。
【０００４】
一方、複数の液晶パネルが直線上に配置された上述の映像表示装置では、ユーザが視線を上下又は左右方向にのみ動かせばよいので視線の動きをスムーズにできるが、例えばユーザが中央の液晶パネルに表示された映像を注視している場合、両端の液晶パネルに表示した映像がユーザの視界に入りにくい。
【０００５】
このように、かかる映像表示装置においては、複数の映像を見易く表示し得るとは言い難いという問題があった。
【０００６】
本発明は以上の点を考慮してなされたもので、複数の映像を従来と比して一段と見易く表示し得る映像表示装置及び映像表示方法を提案しようとするものである。
【課題を解決するための手段】
【０００７】
かかる課題を解決するため本発明の映像表示装置においては、表示面が同一方向に向くようにし表示面の前方から見て円形に配置された複数の表示部と、複数の表示部のそれぞれに映像を表示させるように当該複数の表示部を制御する制御部と、複数の表示部のそれぞれを３次元空間上の任意の位置に可動自在に支持する支持部と、映像のジャンルを判別するためのジャンル情報を外部から取得するジャンル情報取得部とを設け、制御部が、複数の表示部のそれぞれを表示面が同一方向に向くようにして３次元空間上の所定位置に可動させるように支持部を制御し、さらに制御部が、複数の表示部のそれぞれに表示させている映像のジャンルをジャンル情報に基づいて判別し、同じジャンルの映像が複数存在する場合に、当該同じジャンルの映像を表示させている表示部を近接させるように支持部を制御するようにした。
【０００８】
この結果、各表示部間におけるユーザの視線の動きが円軌道となるためユーザの視線の動きをスムーズにすることができると共に、各表示部に表示される映像をユーザの視野内に収めることができる。
【０００９】
また本発明の映像表示方法においては、制御部が、表示面が同一方向を向くようにし表示面の前方から見て円形に配置された複数の表示部のそれぞれに映像を表示させるように当該複数の表示部を制御する制御ステップと、ジャンル情報取得部が、映像のジャンルを判別するためのジャンル情報を外部から取得するジャンル情報取得ステップとを設け、複数の表示部のそれぞれが、支持部によって、３次元空間上の任意の位置に可動自在に支持され、制御ステップにおいて、制御部が、複数の表示部のそれぞれを表示面が同一方向に向くようにして３次元空間上の所定位置に可動させるように上記支持部を制御し、さらに制御部が、複数の表示部のそれぞれに表示させている映像のジャンルをジャンル情報に基づいて判別し、同じジャンルの映像が複数存在する場合に、当該同じジャンルの映像を表示させている表示部を近接させるように支持部を制御するようにした。
【００１０】
この結果、各表示部間におけるユーザの視線の動きが円軌道となるためユーザの視線の動きをスムーズにすることができると共に、各表示部に表示される映像をユーザの視野内に収めることができる。
【発明の効果】
【００１１】
本発明によれば、映像表示装置において、各表示部間におけるユーザの視線の動きが円軌道となるためユーザの視線の動きをスムーズにすることができると共に、各表示部に表示される映像をユーザの視野内に収めることができ、かくして複数の映像を従来と比して一段と見易く表示し得る映像表示装置を実現できる。
【００１２】
また本発明によれば、映像表示方法において、各表示部間におけるユーザの視線の動きが円軌道になりユーザの視線の動きをスムーズにすることができると共に、各表示部に表示される映像をユーザの視野内に収めることができ、かくして複数の映像を従来と比して一段と見易く表示し得る映像表示方法を実現できる。
【発明を実施するための最良の形態】
【００１３】
以下図面について、本発明の一実施の形態を詳述する。
【００１４】
（１）映像表示装置の全体構成
（１−１）映像表示装置の構成
図１において、１は全体として本実施の形態による映像表示装置を示し、垂直な壁部２の前面に複数の液晶ディスプレイ３（３Ａ〜３Ｅ）が、それぞれその表示面を前方に向けた状態で互いに重ならないようにディスプレイ支持部４（４Ａ〜４Ｅ）を介して可動自在に支持されると共に、これら液晶ディスプレイ３（３Ａ〜３Ｅ）及びディスプレイ支持部４（４Ａ〜４Ｅ）に信号処理部５がケーブル等を介して接続されることにより構成されている。
【００１５】
この場合、信号処理部５は、液晶ディスプレイ３（３Ａ〜３Ｅ）に対して映像信号及び音声信号を供給することにより、液晶ディスプレイ３（３Ａ〜３Ｅ）を介して映像及び音声を出力し得るようになされ、さらにディスプレイ支持部４（４Ａ〜４Ｅ）に対してそれぞれの可動を制御するためのコマンド信号を供給することにより、ディスプレイ支持部４（４Ａ〜４Ｅ）をそれぞれ独立に可動させて液晶ディスプレイ３（３Ａ〜３Ｅ）の配置を変動させ得るようになされている。
【００１６】
なお、図１に示す映像表示装置１においては、複数の液晶ディスプレイ３（３Ａ〜３Ｅ）が壁部２の前方から見て円形の配置となるようにディスプレイ支持部４（４Ａ〜４Ｅ）を可動した場合であり、この配置が初期配置として信号処理部５に設定されている。
【００１７】
また、以降の説明においては、壁部２の前方から見て当該壁部２の左側から右側への方向を矢印ｘで示し、壁部２の下側から上側への方向を矢印ｙで示し、壁部２の背面から前面への方向を矢印ｚで示すものとする。
【００１８】
（１−２）液晶ディスプレイの構成
液晶ディスプレイ３（３Ａ〜３Ｅ）においては、図２に示すように、薄厚矩形状の筐体ＣＳ（ＣＳＡ〜ＣＳＥ）を有し、その前面（表示面）中央に液晶パネルＰＮ（ＰＮＡ〜ＰＮＥ）が配設されていると共に、その下方にスピーカＳＰ（ＳＰＡ〜ＳＰＥ）が配設されている。
【００１９】
そして液晶ディスプレイ３（３Ａ〜３Ｅ）は、信号処理部５から供給される映像信号に基づく映像を液晶パネルＰＮ（ＰＮＡ〜ＰＮＥ）に表示すると共に、信号処理部５から供給される音声信号に基づくステレオ音声をスピーカＳＰ（ＳＰＡ〜ＳＰＥ）から出力するようになされている。
【００２０】
（１−３）ディスプレイ支持部の構成
次にディスプレイ支持部４（４Ａ〜４Ｅ）の構成について説明する。ここでディスプレイ支持部４Ａとディスプレイ支持部４Ｂ〜４Ｅとは異なる構成であるため、以下、ディスプレイ支持部４Ａの構成とディスプレイ支持部４Ｂ〜４Ｅの構成とに分けて説明する。
【００２１】
ディスプレイ支持部４Ａにおいては、図３、図４及び図５に示すように、壁部２前面の所定位置に垂設されたアーム取付部１０の先端部に、その出力軸１１が水平となるようにモータ部ＭＡ１が設けられ、当該出力軸１１に第１アーム１２の一端部が取り付けられている。
【００２２】
また第１アーム１２の他端部には、その出力軸１３が水平となるようにモータ部ＭＡ２が取り付けられると共に、当該出力軸１３に第２アーム１４の一端部が取り付けられている。さらに第２アーム１４の他端部には、その出力軸１５が水平となるようにモータ部ＭＡ３が取り付けられると共に、当該出力軸１５にディスプレイ取付部１６の一端部が取り付けられている。
【００２３】
そしてディスプレイ取付部１６の他端部が液晶ディスプレイ３Ａの背面中央に設けられた取付板１７に固定されている。
【００２４】
また各モータ部Ｍ（ＭＡ１〜ＭＡ３）には、それぞれ動力を発生するモータと当該モータの出力軸１１、１３及び１５の回転角度を検出するセンサとが内蔵されている。
【００２５】
これによりディスプレイ支持部４Ａは、モータ部Ｍ（ＭＡ１〜ＭＡ３）のモータの動力によって各部を回動させることで液晶ディスプレイ３Ａを壁部２の前面において矢印ｙで示す方向及びその逆方向（すなわち上下方向）、及び矢印ｚで示す方向及びその逆方向（すなわち前後方向）に可動自在に支持することができるようになされている。
【００２６】
一方、ディスプレイ支持部４Ｂ〜４Ｅにおいては、図６、図７及び図８に示すように、壁部２前面の所定位置に第１のアーム取付部３０が垂設されていると共に、当該所定位置から矢印ｘで示す右方向へ所定距離（例えば数ｃｍ）離れた位置に第２のアーム取付部３１が垂設されている。
【００２７】
また第１のアーム取付部３０の先端部には、鉛直配置された第１の軸体３２を介して第１アーム３３の一端部が取り付けられている。さらに第１アーム３３の他端部には、その出力軸３４が鉛直となるようにモータ部Ｍ１（ＭＢ１〜ＭＥ１）が取り付けられている。
【００２８】
そしてこのモータ部Ｍ１（ＭＢ１〜ＭＥ１）の出力軸３４に第２アーム３５の一端部が取り付けられ、さらに第２アーム３５の他端部には、鉛直配置された第２の軸体３６を介して第３アーム３７の一端部が取り付けられている。
【００２９】
また第２のアーム取付部３１の先端部には、その出力軸３８が鉛直となるようにモータ部Ｍ２（ＭＢ２〜ＭＥ２）が取り付けられている。そしてこのモータ部Ｍ２（ＭＢ２〜ＭＥ２）の出力軸３８に第４アーム３９の一端部が取り付けられ、さらに第４アーム３９の他端部には、その出力軸４０が鉛直となるようにモータ部Ｍ３（ＭＢ３〜ＭＥ３）が取り付けられている。
【００３０】
そしてこのモータ部Ｍ３（ＭＢ３〜ＭＥ３）の出力軸４０に第５アーム４１の一端部が取り付けられ、さらに第５アーム４１の他端部には、鉛直配置された第３の軸体４２を介して第３アーム３７の他端部が取り付けられている。
【００３１】
さらに第３アーム３７の中央部には、その出力軸４３が鉛直となるようにモータ部Ｍ４（ＭＢ４〜ＭＥ４）が取り付けられている。そしてこのモータ部Ｍ４（ＭＢ４〜ＭＥ４）の出力軸４３にディスプレイ取付部４４の一端部が取り付けられ、さらにディスプレイ取付部４４の他端部が液晶ディスプレイ３Ｂ〜３Ｅの背面中央に設けられた取付板４５に固定されている。
【００３２】
また各モータ部Ｍ（ＭＢ１〜ＭＢ４、…、ＭＥ１〜ＭＥ４）には、それぞれ動力を発生するモータと当該モータの出力軸３４、３８、４０及び４３の回転角度を検出するセンサとが内蔵されている。
【００３３】
これによりディスプレイ支持部４Ｂ〜４Ｅは、モータ部Ｍ（ＭＢ１〜ＭＢ４、…、ＭＥ１〜ＭＥ４）のモータの動力によって各部を回動させることで液晶ディスプレイ３Ｂ〜３Ｅをそれぞれ壁部２の前面において矢印ｘで示す方向及びその逆方向（すなわち左右方向）、及び矢印ｚで示す方向及びその逆方向（すなわち前後方向）に可動自在に支持することができるようになされている。
【００３４】
ここで液晶ディスプレイ３（３Ａ〜３Ｅ）の上下左右方向における可動範囲を図９に示す。位置ＰＡは、ディスプレイ支持部４Ａのアーム取付部１０と壁部２との固定位置を表しており、また位置ＰＢ〜ＰＥは、それぞれディスプレイ支持部４Ｂ〜４Ｅにおける第１のアーム取付部３０の壁部２に対する固定位置と、第２のアーム取付部３１の壁部２に対する固定位置との中間位置を表している。
【００３５】
この位置Ｐ（ＰＡ〜ＰＥ）は、液晶ディスプレイ３（３Ａ〜３Ｅ）の初期配置（円形配置）をもとに設定されており、位置ＰＡが壁部２の前面中央上部、位置ＰＢが当該位置ＰＡの左斜下、位置ＰＣが当該位置ＰＡの右斜下、位置ＰＤが当該位置ＰＢの右斜下、位置ＰＥが当該位置ＰＣの左斜下に設定されている。
【００３６】
従って映像表示装置１は、位置ＰＡをほぼ中心として上下方向に矢印ｙＡ１及びｙＡ２で示すディスプレイ支持部４Ａの可動範囲内で液晶ディスプレイ３Ａを移動し得、また位置ＰＢをほぼ中心として左右方向に矢印ｘＢ１及びｘＢ２で示すディスプレイ支持部４Ｂの可動範囲内で液晶ディスプレイ３Ｂを移動し得、位置ＰＣをほぼ中心として左右方向に矢印ｘＣ１及びｘＣ２で示すディスプレイ支持部４Ｃの可動範囲内で液晶ディスプレイ４Ｃを移動し得、位置ＰＤをほぼ中心として左右方向に矢印ｘＤ１及びｘＤ２で示すディスプレイ支持部４Ｄの可動範囲内で液晶ディスプレイ４Ｄを移動し得、さらに位置ＰＥをほぼ中心として左右方向に矢印ｘＥ１及びｘＥ２で示すディスプレイ支持部４Ｅの可動範囲内で液晶ディスプレイ４Ｅを移動し得るようになされている。
【００３７】
ここで、実際上このような範囲内で液晶ディスプレイ３（３Ａ〜３Ｅ）を移動させて配置し得る配置パターンを図１０及び図１１に示す。まず、図１０（Ａ）に示すように、初期配置である上述した円形の配置があり、これを配置パターンＡとする。
【００３８】
次に配置パターンＡの配置から液晶ディスプレイ３Ａを下方向へ移動した配置パターンＢを図１０（Ｂ）に示す。この配置パターンＢでは、液晶ディスプレイ３Ａの左右にそれぞれ当該液晶ディスプレイ３Ａと平行でかつ接触するように液晶ディスプレイ３Ｂ及び３Ｃが配置され、当該液晶ディスプレイ３Ａの左斜下及び右斜下にそれぞれ当該液晶ディスプレイ３Ａと接触するように液晶ディスプレイ３Ｄ及び３Ｅが配置（このとき液晶ディスプレイ３Ｄ及び３Ｅは平行でかつ接触）された状態となる。
【００３９】
また配置パターンＢの配置から液晶ディスプレイ３Ｄ及び３Ｅを左方向に移動した配置パターンＣを図１０（Ｃ）に示す。この配置パターンＣでは、液晶ディスプレイ３Ａの左右にそれぞれ当該液晶ディスプレイ３Ａと平行でかつ接触するように液晶ディスプレイ３Ｂ及び３Ｃが配置され、当該液晶ディスプレイ３Ｂの下に当該液晶ディスプレイ３Ｂと接触するように液晶ディスプレイ３Ｄが配置、液晶ディスプレイ３Ａの下に当該液晶ディスプレイ３Ａと接触するように液晶ディスプレイ３Ｅが配置（このとき液晶ディスプレイ３Ｄ及び３Ｅは平行でかつ接触）された状態となる。
【００４０】
さらに配置パターンＣの配置から液晶ディスプレイ３Ｄ及び３Ｅを右方向に移動した配置パターンＤを図１０（Ｄ）に示す。この配置パターンＤでは、液晶ディスプレイ３Ａの左右にそれぞれ当該液晶ディスプレイ３Ａと平行でかつ接触するように液晶ディスプレイ３Ｂ及び３Ｃが配置され、当該液晶ディスプレイ３Ａの下に当該液晶ディスプレイ３Ａと接触するように液晶ディスプレイ３Ｄが配置、液晶ディスプレイ３Ｃの下に当該液晶ディスプレイ３Ｃと接触するように液晶ディスプレイ３Ｅが配置（このとき液晶ディスプレイ３Ｄ及び３Ｅは平行でかつ接触）された状態となる。
【００４１】
さらに配置パターンＤの配置から液晶ディスプレイ３Ｄを左方向に移動した配置パターンＥを図１０（Ｅ）に示す。この配置パターンＥでは、液晶ディスプレイ３Ａの左右にそれぞれ当該液晶ディスプレイ３Ａと平行でかつ接触するように液晶ディスプレイ３Ｂ及び３Ｃが配置され、当該液晶ディスプレイ３Ｂの下に当該液晶ディスプレイ３Ｂと接触するように液晶ディスプレイ３Ｄが配置、液晶ディスプレイ３Ｃの下に当該液晶ディスプレイ３Ｃと接触するように液晶ディスプレイ３Ｅが配置された状態となる。
【００４２】
さらに配置パターンＥの配置から液晶ディスプレイ３Ａを上方向に移動した配置パターンＦを図１０（Ｆ）に示す。この配置パターンＦでは、液晶ディスプレイ３Ａの左斜下及び右斜下にそれぞれ当該液晶ディスプレイ３Ａと接触するように液晶ディスプレイ３Ｂ及び３Ｃが配置され、当該液晶ディスプレイ３Ｂの下に当該液晶ディスプレイ３Ｂと接触するように液晶ディスプレイ３Ｄが配置、液晶ディスプレイ３Ｃの下に当該液晶ディスプレイ３Ｃと接触するように液晶ディスプレイ３Ｅが配置された状態となる。
【００４３】
さらに配置パターンＦの配置から液晶ディスプレイ３Ｂ及び３Ｃをそれぞれ左及び右方向に移動した配置パターンＧを図１１（Ｇ）に示す。この配置パターンＧでは、液晶ディスプレイ３Ａの左斜下及び右斜下にそれぞれ当該液晶ディスプレイ３Ａと離れて液晶ディスプレイ３Ｂ及び３Ｃが配置され、当該液晶ディスプレイ３Ｂの右斜下に当該液晶ディスプレイ３Ｂと接触するように液晶ディスプレイ３Ｄが配置、液晶ディスプレイ３Ｃの左斜下に当該液晶ディスプレイ３Ｃと接触するように液晶ディスプレイ３Ｅが配置された状態となる。
【００４４】
さらに配置パターンＧの配置から液晶ディスプレイ３Ａを下方向に移動した配置パターンＨを図１１（Ｈ）に示す。この配置パターンＨでは、液晶ディスプレイ３Ａの左斜下及び右斜下にそれぞれ当該液晶ディスプレイ３Ａと接触するように液晶ディスプレイ３Ｄ及び３Ｅが配置され、当該液晶ディスプレイ３Ｄの左斜上に当該液晶ディスプレイ３Ｄと接触するように液晶ディスプレイ３Ｂが配置、液晶ディスプレイ３Ｅの右斜上に当該液晶ディスプレイ３Ｅと接触するように液晶ディスプレイ３Ｃが配置された状態となる。
【００４５】
さらに配置パターンＨの配置から液晶ディスプレイ３Ａを上方向に移動し、液晶ディスプレイ３Ｂ及び３Ｄを右方向に移動、液晶ディスプレイ３Ｃ及び３Ｅを左方向に移動した配置パターンＩを図１１（Ｉ）に示す。この配置パターンＩでは、液晶ディスプレイ３Ａの左斜下及び右斜下にそれぞれ当該液晶ディスプレイ３Ａと接触するように液晶ディスプレイ３Ｂ及び３Ｃが配置（このとき液晶ディスプレイ３Ｂ及び３Ｃは平行でかつ接触）され、当該液晶ディスプレイ３Ｂの下に当該液晶ディスプレイ３Ｂと接触するように液晶ディスプレイ３Ｄが配置、液晶ディスプレイ３Ｃの下に当該液晶ディスプレイ３Ｃと接触するように液晶ディスプレイ３Ｅが配置された状態となる。
【００４６】
このように映像表示装置１においては、必要に応じて上述の配置パターンＡ〜Ｉの配置に液晶ディスプレイ３（３Ａ〜３Ｅ）を移動し得るようになされている。
【００４７】
続いて液晶ディスプレイ３（３Ａ〜３Ｅ）の前後方向における可動範囲を図１２に示す。映像表示装置１においては、液晶ディスプレイ３Ａを、ディスプレイ支持部４Ａの第１アーム１２及び第２アーム１４を折り畳んだ状態から引き延ばした状態までの範囲で前後方向に移動し得、また液晶ディスプレイ４Ｂ〜４Ｅを、それぞれディスプレイ支持部４Ｂ〜４Ｅの第１アーム３３、第２アーム３５、第３アーム３７、第４アーム３９及び第５アーム４１を折り畳んだ状態から引き伸ばした状態までの範囲で前後方向に移動し得るようになされている。
【００４８】
ここで液晶ディスプレイ３Ａ〜３Ｅの前後方向における可動範囲はそれぞれ同一であり、従ってディスプレイ支持部４Ａ〜４Ｅの各アームが折り畳まれて液晶ディスプレイ３Ａ〜３Ｅが壁部２に最も近づいた状態では、液晶ディスプレイ３Ａ〜３Ｅの前面が同一平面上となり、さらに各アームを引き延ばして壁部２から最も離れた状態においても、液晶ディスプレイ３Ａ〜３Ｅの前面が同一平面上となる。
【００４９】
このように映像表示装置１においては、液晶ディスプレイ３（３Ａ〜３Ｅ）の配置を、対応するディスプレイ支持部４（４Ａ〜４Ｅ）の可動範囲内で、変動し得るようになされている。
【００５０】
（１−４）信号処理部の構成
次に信号処理部５の構成について図１３を用いて説明する。信号処理部５は、映像表示装置１の全体を制御する統合制御部６０と、テレビジョン放送を受信する複数のテレビジョン放送受信部６１（６１Ａ〜６１Ｅ）と、テレビジョン放送受信部６１（６１Ａ〜６１Ｅ）で受信したテレビジョン放送の番組映像及び番組音声を複数の液晶ディスプレイ３（３Ａ〜３Ｅ）に分配するための分配器６２とから構成されている。
【００５１】
統合制御部６０では、リモートコントローラＲＣの操作に応じて当該リモートコントローラＲＣから送信される赤外線信号Ｓ１を赤外線受光部６３で受信し、当該赤外線受光部６３において当該赤外線信号Ｓ１を操作通知信号Ｓ２に変換し、これをＭＰＵ（Microprocessor Unit）６４に供給する。
【００５２】
このＭＰＵ６４には、内部メモリが搭載されており、当該内部メモリに予め格納されている制御プログラムや、動作モードプログラム等の各種プログラムに従って、赤外線受光部６３から与えられる操作通知信号Ｓ２に応じた命令信号Ｓ３をコマンド変換部６５に送出する。
【００５３】
またＭＰＵ６４は、ＥＰＧ（Electronic Program Guide）を提供するインターネット上のデータベース（以下、これを外部データベースと呼ぶ）６７に通信部６６を介してアクセスし、当該外部データベース６７から当該ＥＰＧのデータ（以下、これをＥＰＧデータと呼ぶ）ＥＤを取得し得るようにもなされている。
【００５４】
さらにＭＰＵ６４は、赤外線受光部６３から操作通知信号Ｓ２が供給される毎に、当該操作通知信号Ｓ２をリモートコントローラＲＣの操作履歴データＯＤとして不揮発性メモリ６８に蓄積すると共に、必要に応じて後述するジャンル履歴データＪＤを当該不揮発性メモリ６８に蓄積し、またこれらを適宜当該不揮発性メモリ６８から読み出し得るようにもなされている。
【００５５】
コマンド変換部６５は、ＭＰＵ６４から与えられる命令信号Ｓ３に基づいて、テレビジョン放送受信部６１（６１Ａ〜６１Ｅ）を制御するためのコマンド信号ＣＯＭ１及びＣＯＭ２、分配器６２を制御するためのコマンド信号ＣＯＭ３、ディスプレイ支持部４（４Ａ〜４Ｅ）を制御するためのコマンド信号ＣＯＭ４を生成し、これらコマンド信号ＣＯＭ１〜ＣＯＭ４をそれぞれ制御対象となるテレビジョン放送受信部６１（６１Ａ〜６１Ｅ）、分配器６２、ディスプレイ支持部４（４Ａ〜４Ｅ）に送出するようになされている。
【００５６】
このように統合制御部６０は、リモートコントローラＲＣの操作によって入力される各種命令に応じて、コマンド信号ＣＯＭ１〜ＣＯＭ４をテレビジョン放送受信部６１（６１Ａ〜６１Ｅ）、分配器６２及びディスプレイ支持部４（４Ａ〜４Ｅ）に送出することにより、これらテレビジョン放送受信部６１（６１Ａ〜６１Ｅ）、分配器６２及びディスプレイ支持部４（４Ａ〜４Ｅ）を統合的に制御するようになされている。
【００５７】
テレビジョン放送受信部６１（６１Ａ〜６１Ｅ）は、アンテナ６９を介して受信したテレビジョン放送波Ｓ４をチューナ７０（７０Ａ〜７０Ｅ）に入力する。
【００５８】
チューナ７０（７０Ａ〜７０Ｅ）は、コマンド変換部６５から供給されるコマンド信号ＣＯＭ１に基づいて、テレビジョン放送波Ｓ４の中から所定のチャンネルの信号（以下、これをテレビジョン信号と呼ぶ）Ｓ５（Ｓ５Ａ〜Ｓ５Ｅ）を抽出し、これをデスクランブル回路７１（７１Ａ〜７１Ｅ）に送出する。
【００５９】
デスクランブル回路７１（７１Ａ〜７１Ｅ）は、テレビジョン信号Ｓ５（Ｓ５Ａ〜Ｓ５Ｅ）に対して所定の復調処理、誤り訂正処理及びデスクランブル処理を順次施し、この結果得られるテレビジョン放送データＤ１（Ｄ１Ａ〜Ｄ１Ｅ）をデマルチプレクサ７２（７２Ａ〜７２Ｅ）に送出する。
【００６０】
デマルチプレクサ７２（７２Ａ〜７２Ｅ）は、テレビジョン放送データＤ１（Ｄ１Ａ〜Ｄ１Ｅ）を音声部分のパケットからなる音声データＤ２（Ｄ２Ａ〜Ｄ２Ｅ）と、映像部分のパケットからなる映像データＤ３（Ｄ３Ａ〜Ｄ３Ｅ）とに分離し、これらをそれぞれオーディオデコーダ７３（７３Ａ〜７３Ｅ）及びビデオデコーダ７４（７４Ａ〜７４Ｅ）に送出する。
【００６１】
オーディオデコーダ７３（７３Ａ〜７３Ｅ）は、音声データＤ２（Ｄ２Ａ〜Ｄ２Ｅ）に対して所定の符号化方式に準拠した復号化処理を施し、この結果得られる復号音声データＤ４（Ｄ４Ａ〜Ｄ４Ｅ）をデジタル／アナログ変換部７５（７５Ａ〜７５Ｅ）に送出する。
【００６２】
デジタル／アナログ変換部７５（７５Ａ〜７５Ｅ）は、復号音声データＤ４（Ｄ４Ａ〜Ｄ４Ｅ）を音声信号Ｓ６（Ｓ６Ａ〜Ｓ６Ｅ）に変換し、これを分配器６２に送出する。
【００６３】
一方、ビデオデコーダ７４（７４Ａ〜７４Ｅ）は、映像データＤ３（Ｄ３Ａ〜Ｄ３Ｅ）に対して所定の符号化方式に準拠した復号化処理を施し、この結果得られる復号映像データＤ５（Ｄ５Ａ〜Ｄ５Ｅ）を加算器７６（７６Ａ〜７６Ｅ）を介してＮＴＳＣ（National Television Standards Committee）エンコーダ７７（７７Ａ〜７７Ｅ）に送出する。
【００６４】
ＮＴＳＣエンコーダ７７（７７Ａ〜７７Ｅ）は、復号映像データＤ５（Ｄ５Ａ〜Ｄ５Ｅ）をＮＴＳＣ方式の映像データＤ６（Ｄ６Ａ〜Ｄ６Ｅ）に変換し、これをデジタル／アナログ変換部７８（７８Ａ〜７８Ｅ）に送出する。
【００６５】
デジタル／アナログ変換部７８（７８Ａ〜７８Ｅ）は、ＮＴＳＣ方式の映像データＤ６（Ｄ６Ａ〜Ｄ６Ｅ）を映像信号Ｓ７（Ｓ７Ａ〜Ｓ７Ｅ）に変換し、これを分配器６２に送出する。
【００６６】
このようにしてテレビジョン放送受信部６１（６１Ａ〜６１Ｅ）は、テレビジョン放送波Ｓ４のなかから、指定されたチャンネルで放送されている番組の映像信号Ｓ７（Ｓ７Ａ〜Ｓ７Ｅ）及び音声信号Ｓ６（Ｓ６Ａ〜Ｓ６Ｅ）を取り出し、これらを分配器６２に送出する。
【００６７】
またテレビジョン放送受信部６１（６１Ａ〜６１Ｅ）は、コマンド変換部６５から供給されるコマンド信号ＣＯＭ２に基づいて、ＧＵＩ（Graphical User Interface）データ生成部７９（７９Ａ〜７９Ｅ）において文字データ等の表示用データＧＤ（ＧＤＡ〜ＧＤＥ）を生成し、これを加算器７６（７６Ａ〜７６Ｅ）に送出してビデオデコーダ７４（７４Ａ〜７４Ｅ）が出力する復号映像データＤ５（Ｄ５Ａ〜Ｄ５Ｅ）に重畳するようにもなされている。
【００６８】
分配器６２は、テレビジョン放送受信部６１（６１Ａ〜６１Ｅ）から供給される音声信号Ｓ６（Ｓ６Ａ〜Ｓ６Ｅ）及び映像信号Ｓ７（Ｓ７Ａ〜Ｓ７Ｅ）を、コマンド変換部６５から供給されるコマンド信号ＣＯＭ３に基づいて分配することにより、それぞれ音声信号Ｓ８（Ｓ８Ａ〜Ｓ８Ｅ）及び映像信号Ｓ９（Ｓ９Ａ〜Ｓ９Ｅ）として液晶ディスプレイ３（３Ａ〜３Ｅ）のスピーカＳＰ（ＳＰＡ〜ＳＰＥ）及び液晶パネルＰＮ（ＰＮＡ〜ＰＮＥ）に送出する。
【００６９】
この結果、スピーカＳＰ（ＳＰＡ〜ＳＰＥ）からは分配器６２によって分配された音声信号Ｓ８（Ｓ８Ａ〜Ｓ８Ｅ）に基づくステレオ音声が出力され、液晶パネルＰＮ（ＰＮＡ〜ＰＮＥ）にはこの音声信号Ｓ８（Ｓ８Ａ〜Ｓ８Ｅ）に対応する映像信号Ｓ９（Ｓ９Ａ〜Ｓ９Ｅ）に基づく映像が表示される。
【００７０】
ディスプレイ支持部４（４Ａ〜４Ｅ）は、コマンド変換部６５から供給されるコマンド信号ＣＯＭ４に基づいて、各モータ部Ｍ（ＭＡ１〜ＭＡ３、ＭＢ１〜ＭＢ４、…、ＭＥ１〜ＭＥ４）のモータを駆動させることにより、各部を回動させ得るようになされている。
【００７１】
またディスプレイ支持部４（４Ａ〜４Ｅ）は、各モータ部Ｍ（ＭＡ１〜ＭＡ３、ＭＢ１〜ＭＢ４、…、ＭＥ１〜ＭＥ４）の出力軸１１、１３、１５、３４、３８、４０及び４３の回転角度をモータ部Ｍ（ＭＡ１〜ＭＡ３、ＭＢ１〜ＭＢ４、…、ＭＥ１〜ＭＥ４）に内蔵されたセンサで検出し、この検出結果を回転角度データＲＤとしてコマンド変換部６５を介してＭＰＵ６４に供給することにより、ＭＰＵ６４に各モータ部Ｍ（ＭＡ１〜ＭＡ３、ＭＢ１〜ＭＢ４、…、ＭＥ１〜ＭＥ４）の出力軸１１、１３、１５、３４、３８、４０及び４３の回転角度を認識させ得るようにもなされている。
【００７２】
かくして信号処理部５は、複数の液晶ディスプレイ３Ａ〜３Ｅを介してテレビジョン放送の番組映像及び番組音声をユーザに提供し得るようになされていると共に、ディスプレイ支持部４Ａ〜４Ｅをそれぞれ独立に可動させて液晶ディスプレイ３Ａ〜３Ｅの配置を変動させ得るようになされている。
【００７３】
（１−５）リモートコントローラの構成
次にユーザが映像表示装置１に対する各種命令を入力するためのリモートコントローラＲＣについて図１４を用いて説明する。
【００７４】
リモートコントローラＲＣは、矩形状の筐体部８０を有し、その一面の上部に映像表示装置１の電源をオン又はオフにするための電源ボタン及びチャンネルを指定するための０〜９までの数字ボタンからなる基本操作部８１が設けられており、その下方に液晶ディスプレイ３Ａ〜３Ｅにそれぞれ対応する５つのディスプレイ指定ボタンからなるディスプレイ指定部８２が設けられ、さらにその下方に映像表示装置１が有する４つの動作モード（後述する）にそれぞれ対応する４つのモード指定ボタン（ザッピングモードボタン、５チャンネルモードボタン、２×２モードボタン、ジャンルチェックモードボタン）からなる動作モード指定部８３が設けられている。
【００７５】
そしてリモートコントローラＲＣは、これらのボタンが押下操作されると、押下操作されたボタンに応じた赤外線信号Ｓ１を出力するようになされており、これによりリモートコントローラＲＣの操作内容を信号処理部５に伝達し得るようになされている。
【００７６】
（２）動作モード
次に映像表示装置１の動作モードについて説明する。映像表示装置１においては、ザッピングモード、５チャンネルモード、２×２モード及びジャンルチェックモードの４つの動作モードを有しており、リモートコントローラＲＣの操作に応じて、これら４つの動作モードを任意に切り換え得るようになされている。以下、各モードについて詳細に説明する。
【００７７】
（２−１）ザッピングモード
ザッピングモードは、液晶ディスプレイ３Ａ〜３Ｅに対してそれぞれ異なるチャンネルの番組映像及び番組音声を割り当て、さらに所定時間間隔毎に他のチャンネルに自動的に切り換えていく動作モードである。以下、このザッピングモード時における各部の処理を説明する。なお、以降の説明においては、説明の便宜上、映像表示装置１で受信可能なチャンネルをチャンネル番号「０１」〜「１５」までの１５チャンネルとする。
【００７８】
ＭＰＵ６４（図１３）は、赤外線受光部６３から供給される操作通知信号Ｓ２に基づいて、リモートコントローラＲＣに設けられた動作モード指定部８３のザッピングモードボタンが押下されたことを認識すると、動作モードプログラムに従って、ザッピングモードに応じた命令信号Ｓ３をコマンド変換部６５に送出する。
【００７９】
コマンド変換部６５は、ＭＰＵ６４から供給される命令信号Ｓ３に基づいて、コマンド信号ＣＯＭ１〜ＣＯＭ４を生成し、コマンド信号ＣＯＭ１及びＣＯＭ２をテレビジョン放送受信部６１（６１Ａ〜６１Ｅ）に送出すると共に、コマンド信号ＣＯＭ３を分配器６２に送出し、コマンド信号ＣＯＭ４をディスプレイ支持部４（４Ａ〜４Ｅ）に送出する。
【００８０】
ディスプレイ支持部４（４Ａ〜４Ｅ）は、コマンド変換部６５から供給されるコマンド信号ＣＯＭ４に基づいて、モータ部Ｍ（ＭＡ１〜ＭＡ３、ＭＢ１〜ＭＢ４、…、ＭＥ１〜ＭＥ４）のモータを駆動させることにより、図１５に示すように液晶ディスプレイ３（３Ａ〜３Ｅ）を配置パターンＡ（円形配置）の配置で、かつそれぞれを最も壁部２に近づけた位置（奥行なし）に移動させる。
【００８１】
テレビジョン放送受信部６１Ａ〜６１Ｅは、それぞれコマンド変換部６５から供給されるコマンド信号ＣＯＭ１に基づいて、チューナ７０Ａ〜７０Ｅに、それぞれ異なるチャンネル番号（例えば「０１」〜「０５」）のチャンネルを選局させる。
【００８２】
またテレビジョン放送受信部６１Ａ〜６１Ｅは、コマンド変換部６５から供給されるコマンド信号ＣＯＭ２に基づいて、ＧＵＩデータ生成部７９Ａ〜７９Ｅで、それぞれチャンネル番号「０１」〜「０５」を示す表示用データＧＤＡ〜ＧＤＥ（例えば「０１ｃｈ」〜「０５ｃｈ」）を生成させ、これらをそれぞれ復号映像データＤ５Ａ〜Ｄ５Ｅに重畳させる。
【００８３】
さらに分配器６２は、コマンド変換部６５から供給されるコマンド信号ＣＯＭ３に基づいて、テレビジョン放送受信部６１Ａ〜６１Ｅから供給されるチャンネル番号「０１」〜「０５」の音声信号Ｓ６Ａ〜Ｓ６Ｅ及び映像信号Ｓ７Ａ〜Ｓ７Ｅをそれぞれ音声信号Ｓ８Ａ〜Ｓ８Ｅ及び映像信号Ｓ９Ａ〜Ｓ９Ｅとして液晶ディスプレイ３Ａ〜３ＢのスピーカＳＰＡ〜ＳＰＥ及び液晶パネルＰＮＡ〜ＰＮＥに分配する。これにより図１６に示すように液晶ディスプレイ３Ａ〜３Ｅを介してそれぞれチャンネル番号「０１」〜「０５」の番組映像及び番組音声が出力される。
【００８４】
さらにＭＰＵ６４は、所定時間経過後、再度命令信号Ｓ３をコマンド変換部６５に供給し、これをもとにコマンド変換部６５でコマンド信号ＣＯＭ１〜ＣＯＭ３を生成させ、当該コマンド信号ＣＯＭ１及びＣＯＭ２をテレビジョン放送受信部６１（６１Ａ〜６１Ｅ）に送出すると共に、コマンド信号ＣＯＭ３を分配器６２に送出するようになされている。
【００８５】
すなわちコマンド変換部６５は、例えば図１７に示すように、最初のコマンド信号ＣＯＭ１〜ＣＯＭ４を送出してから１０秒後に、液晶ディスプレイ３Ａ〜３Ｅにそれぞれチャンネル番号「０６」〜「１０」の番組映像及び番組音声を出力させるためのコマンド信号ＣＯＭ１〜ＣＯＭ３をテレビジョン放送受信部６１Ａ〜６１Ｅ及び分配器６２のそれぞれに送出し、さらにその１０秒後に、液晶ディスプレイ３Ａ〜３Ｅにそれぞれチャンネル番号「１１」〜「１５」の番組映像及び番組音声を出力させるためのコマンド信号ＣＯＭ１〜ＣＯＭ３を送出する。
【００８６】
そしてさらにその１０秒後には、再び液晶ディスプレイ３Ａ〜３Ｅにそれぞれチャンネル番号「０１」〜「０５」の番組映像及び番組音声を出力させるためのコマンド信号ＣＯＭ１〜ＣＯＭ３を送出し、以下、この一連の動作を繰り返す。
【００８７】
このようにＭＰＵ６４は、所定時間間隔毎にコマンド変換部６５から各部にコマンド信号ＣＯＭ１〜ＣＯＭ４（ただしコマンド信号ＣＯＭ４は初回のみ）を送出させることにより、チャンネル番号「０１」〜「１５」の番組映像及び番組音声をそれぞれ異なる５チャンネルずつに分けて所定時間間隔毎に切り換えながら液晶ディスプレイ３Ａ〜３Ｅを介して出力させるようになされている。
【００８８】
かくして映像表示装置１は、ザッピングモード時において、ユーザにわざわざチャンネル切換操作を行わせることなく、現在各チャンネルで放送されている番組の番組映像及び番組音声を確認させることができる。さらに円形に配置した液晶ディスプレイ３Ａ〜３Ｅにそれぞれ異なるチャンネルを割り当て、これらを数秒毎に他のチャンネルに自動的に切り換えていくようにしたことにより、ごく短時間のうちに全てのチャンネルの番組映像及び番組音声を確認させることができる。
【００８９】
（２−２）５チャンネルモード
５チャンネルモードは、番組情報誌や上述のザッピングモード等によって視聴したい番組を決めたユーザに対して、特に視聴したい番組のチャンネルを５つ選択させ、この５チャンネル分の番組映像及び番組音声を同時に液晶ディスプレイ３Ａ〜３Ｅを介して出力する動作モードである。以下、この５チャンネルモード時における各部の処理を説明する。
【００９０】
ＭＰＵ６４（図１３）は、赤外線受光部６３から供給される操作通知信号Ｓ２に基づいて、リモートコントローラＲＣに設けられた動作モード指定部８３の５チャンネルモードボタンが押下されたことを認識すると、動作モードプログラムに従って、５チャンネルモードに応じた命令信号Ｓ３をコマンド変換部６５に送出する。
【００９１】
コマンド変換部６５は、ＭＰＵ６４から供給される命令信号Ｓ３に基づいて、コマンド信号ＣＯＭ４を生成し、これをディスプレイ支持部４（４Ａ〜４Ｅ）に送出する。
【００９２】
ディスプレイ支持部４（４Ａ〜４Ｅ）は、コマンド変換部６５から供給されるコマンド信号ＣＯＭ４に基づいて、モータ部Ｍ（ＭＡ１〜ＭＡ３、ＭＢ１〜ＭＢ４、…、ＭＥ１〜ＭＥ４）のモータを駆動させることにより、図１８に示すように液晶ディスプレイ３（３Ａ〜３Ｅ）を配置パターンＡ（円形配置）の配置で、かつ液晶ディスプレイ３Ａを壁部２に最も近づけた位置に移動させると共に、液晶ディスプレイ３Ｄ及び３Ｅを壁部２から最も遠ざけた位置に移動させ、液晶ディスプレイ３Ｂ及び３Ｃをこれらの位置の中間の位置に移動させる。
【００９３】
このようにＭＰＵ６４は、液晶ディスプレイ３Ａ〜３Ｅをユーザから見て円形の配置となるように移動させると共に、液晶ディスプレイ３Ｄ及び３Ｅをユーザから見て最も手前の位置に移動し、当該位置よりも少し奥の位置に液晶ディスプレイ３Ｂ及び３Ｃを移動し、さらにその奥の位置に液晶ディスプレイ３Ａを移動して奥行きをつける。
【００９４】
これにより最も手前にある液晶ディスプレイ３Ｄ及び３Ｅから出力される番組映像及び番組音声がユーザにとって最も視聴し易くなり、液晶ディスプレイ３Ｂ及び３Ｃから出力される番組映像及び番組音声がその次に視聴し易く、液晶ディスプレイ３Ａから出力される番組映像及び番組音声がさらにその次となる。
【００９５】
このように液晶ディスプレイ３Ａ〜３Ｅを移動させた後、ＭＰＵ６４は、リモートコントローラＲＣの操作に応じて、液晶ディスプレイ３Ａ〜３Ｅのそれぞれにユーザの所望するチャンネルを割り当てる。
【００９６】
すなわちＭＰＵ６４は、赤外線受光部６３から供給される操作通知信号Ｓ２に基づいて、リモートコントローラＲＣに設けられたディスプレイ指定部８２の例えば液晶ディスプレイ３Ｅに対応するディスプレイ指定ボタンが押下されたことを認識すると、ユーザが液晶ディスプレイ３Ｅのチャンネルを指定しようとしていると判断する。
【００９７】
そしてＭＰＵ６４は、命令信号Ｓ３をコマンド変換部６５に供給し、これをもとにコマンド変換部６５でコマンド信号ＣＯＭ２及びＣＯＭ３を生成させ、当該コマンド信号ＣＯＭ２をテレビジョン放送受信部６１Ｅへ送出させると共に、コマンド信号ＣＯＭ３を分配器６２へ送出する。
【００９８】
テレビジョン放送受信部６１Ｅは、コマンド変換部６５から供給されるコマンド信号ＣＯＭ２に基づいて、ＧＵＩデータ生成部７９Ｅで文字データ「チャンネルを指定してください」でなる表示用データＧＤＥを生成し、これを復号映像データＤ５Ｅに重畳させる。なお、このときのテレビジョン放送受信部６１Ｅにおいては、チューナ７０Ｅでチャンネルを選局していない状態である。従ってテレビジョン放送受信部６１Ｅから分配器６２に送出されるのは、文字データ「チャンネルを指定してください」のみの映像信号Ｓ７Ｅとなる。
【００９９】
そして分配器６２は、コマンド変換部６５から供給されるコマンド信号ＣＯＭ３に基づいて、テレビジョン放送受信部６１Ｅから供給される映像信号Ｓ７Ｅを映像信号Ｓ９Ｅとして液晶ディスプレイ３Ｅの液晶パネルＰＮＥに送出する。これにより液晶ディスプレイ３Ｅには、図１９に示すように、その液晶パネルＰＮＥに「チャンネルを指定してください」の文字が表示される。
【０１００】
このようにＭＰＵ６４は、５チャンネルモードが指定された後、ディスプレイ指定ボタンが押下されると、当該ディスプレイ指定ボタンに応じた例えば液晶ディスプレイ３Ｅに「チャンネルを指定してください」の文字を表示し、当該液晶ディスプレイ３Ｅのチャンネルを指定するようユーザに促す。
【０１０１】
そしてＭＰＵ６４は、赤外線受光部６３から供給される操作通知信号Ｓ２に基づいて、リモートコントローラＲＣに設けられたチャンネル指定部８２の例えば数字ボタン「０」及び数字ボタン「８」が順に押下されたことを認識すると、液晶ディスプレイ３Ｅのチャンネルがチャンネル番号「０８」に指定されたと判断する。
【０１０２】
そしてＭＰＵ６４は、命令信号Ｓ３をコマンド変換部６５に供給し、これをもとにコマンド変換部６５でコマンド信号ＣＯＭ１〜ＣＯＭ３を生成させ、当該コマンド信号ＣＯＭ１及びＣＯＭ２をテレビジョン放送受信部６１Ｅへ送出させると共に、コマンド信号ＣＯＭ３を分配器６２へ送出させる。
【０１０３】
テレビジョン放送受信部６１Ｅは、コマンド変換部６５から供給されるコマンド信号ＣＯＭ１に基づいて、チューナ７０Ｅでチャンネル番号「０８」のチャンネルを選局する。
【０１０４】
またテレビジョン放送受信部６１Ｅは、コマンド変換部６５から供給されるコマンド信号ＣＯＭ２に基づいて、ＧＵＩデータ生成部７９Ｅでチャンネル番号「０８」を示す文字データ「０８ｃｈ」でなる表示用データＧＤＥを生成させ、これを復号映像データＤ５Ｅに重畳させる。
【０１０５】
さらに分配器６２は、コマンド変換部６５から供給されるコマンド信号ＣＯＭ３に基づいて、テレビジョン放送受信部６１Ｅから供給されるチャンネル番号「０８」の音声信号Ｓ６Ｅ及び映像信号Ｓ７Ｅをそれぞれ音声信号Ｓ８Ｅ及び映像信号Ｓ９Ｅとして液晶ディスプレイ３ＥのスピーカＳＰＥ及び液晶パネルＰＮＥに分配する。これにより液晶ディスプレイ３Ｅを介してチャンネル番号「０８」のチャンネルの番組映像及び番組音声が出力される。
【０１０６】
同様にしてＭＰＵ６４は、液晶ディスプレイ３Ａ〜３Ｄのチャンネルもユーザに指定させることにより、液晶ディスプレイ３Ａ〜３Ｄのそれぞれを介して指定されたチャンネルの番組映像及び番組音声を出力する。
【０１０７】
このように映像表示装置１は、ユーザが指定した５つのチャンネルの番組を同時に視聴させることができると共に、これら５つのチャンネルのなかでユーザが特に優先して視聴したい２つのチャンネルの番組を最も視聴し易い位置にある液晶ディスプレイ３Ｄ及び３Ｅで視聴させ、その次に視聴を優先する２つのチャンネルの番組を２番目に視聴し易い位置にある液晶ディスプレイ３Ｂ及び３Ｃで視聴させ、残り１つのチャンネルの番組を３番目に視聴し易い位置にある液晶ディスプレイ３Ａで視聴させることができるようになされている。
【０１０８】
かくして映像表示装置１は５チャンネルモード時において、５チャンネル分の番組を同時に視聴させ得ると共に、視聴の優先度が高い番組ほど見易い位置の液晶ディスプレイ３（３Ａ〜３Ｅ）で視聴させることができる。また、液晶ディスプレイ３（３Ａ〜３Ｅ）の奥行きに変化をつけるようにしたことにより、各液晶ディスプレイ３（３Ａ〜３Ｅ）とユーザとの距離が異なり、ユーザを複数の液晶ディスプレイ３（３Ａ〜３Ｅ）から出力される番組映像の特定の番組映像に集中させ易くすることもできる。
【０１０９】
（２−３）２×２モード
２×２モードは、液晶ディスプレイ３（３Ａ〜３Ｅ）を配置パターンＣに配置して、液晶ディスプレイ３Ａ、３Ｂ、３Ｄ及び３Ｅの４つ（２×２）の液晶パネルＰＮＡ、ＰＮＢ、ＰＮＤ及びＰＮＥで１つの画面（以下、これを２×２画面とも呼ぶ）を構成し、この２×２画面に、ユーザが選択した１つのチャンネルの番組映像を出力する動作モードである。以下、この２×２モード時における各部の処理を説明する。
【０１１０】
ＭＰＵ６４（図１３）は、赤外線受光部６３から供給される操作通知信号Ｓ２に基づいて、リモートコントローラＲＣに設けられた動作モード指定部８３の２×２モードボタンが押下されたことを認識すると、動作モードプログラムに従って、２×２モードに応じた命令信号Ｓ３をコマンド変換部６５に送出する。
【０１１１】
コマンド変換部６５は、ＭＰＵ６４から供給される命令信号Ｓ３に基づいて、コマンド信号ＣＯＭ４を生成し、これをディスプレイ支持部４（４Ａ〜４Ｅ）に送出する。
【０１１２】
ディスプレイ支持部４（４Ａ〜４Ｅ）は、コマンド変換部６５から供給されるコマンド信号ＣＯＭ４に基づいて、モータ部Ｍ（ＭＡ１〜ＭＡ３、ＭＢ１〜ＭＢ４、…、ＭＥ１〜ＭＥ４）のモータを駆動させることにより、図２０に示すように液晶ディスプレイ３（３Ａ〜３Ｅ）を配置パターンＣの配置で、かつ壁部２からの距離が等しい位置（同一平面上）に移動させる。
【０１１３】
このように液晶ディスプレイ３（３Ａ〜３Ｅ）を配置した後、ＭＰＵ６４は、リモートコントローラＲＣの操作に応じて、このとき液晶ディスプレイ３Ａ、３Ｂ、３Ｄ及び３Ｅで構成する２×２画面と、残りの液晶ディスプレイ３Ｃとのそれぞれにユーザの所望するチャンネルを割り当てる。
【０１１４】
すなわちＭＰＵ６４は、命令信号Ｓ３をコマンド変換部６５に供給し、これをもとにコマンド変換部６５でコマンド信号ＣＯＭ２及びＣＯＭ３を生成させ、当該コマンド信号ＣＯＭ２を例えばテレビジョン放送受信部６１Ａへ送出させると共に、コマンド信号ＣＯＭ３を分配器６２へ送出する。
【０１１５】
テレビジョン放送受信部６１Ａは、コマンド変換部６５から供給されるコマンド信号ＣＯＭ２に基づいて、ＧＵＩデータ生成部７９Ａで文字データ「チャンネルを指定してください」でなる表示用データＧＤＡを生成し、これを復号映像データＤ５Ａに重畳させる。なお、このときのテレビジョン放送受信部６１Ａにおいては、チューナ７０Ａでチャンネルを選局していない状態である。従ってテレビジョン放送受信部６１Ａから分配器６２に送出されるのは、文字データ「チャンネルを指定してください」のみの映像信号Ｓ７Ａとなる。
【０１１６】
そして分配器６２は、コマンド変換部６５から供給されるコマンド信号ＣＯＭ３に基づいて、テレビジョン放送受信部６１Ａから供給される映像信号Ｓ７Ａを１フレーム毎に所定のタイミングで切り出すことにより、映像信号Ｓ７Ａの各フレームを２×２に等分割した各領域の映像信号を得、これらをそれぞれ液晶パネルＰＮＡ、ＰＮＢ、ＰＮＤ及びＰＮＥの表示サイズに拡大して得られる映像信号Ｓ９Ａ、Ｓ９Ｂ、Ｓ９Ｄ及びＳ９Ｅをそれぞれ液晶パネルＰＮＡ、ＰＮＢ、ＰＮＤ及びＰＮＥに分配する。
【０１１７】
これにより液晶パネルＰＮＡ、ＰＮＢ、ＰＮＤ及びＰＮＥで構成される２×２画面には、「チャンネルを指定してください」の文字が表示される。
【０１１８】
このようにＭＰＵ６４は、２×２モードが指定された後、２×２画面に「チャンネルを指定してください」の文字を表示し、当該２×２画面のチャンネルを指定するようユーザに促す。
【０１１９】
そしてＭＰＵ６４は、リモートコントローラＲＣを介して例えばチャンネル番号「０５」が入力されたことを認識すると、命令信号Ｓ３をコマンド変換部６５に供給し、これをもとにコマンド変換部６５でコマンド信号ＣＯＭ１〜ＣＯＭ３を生成させ、当該コマンド信号ＣＯＭ１及びＣＯＭ２をテレビジョン放送受信部６１Ａへ送出させると共に、コマンド信号ＣＯＭ３を分配器６２へ送出させる。
【０１２０】
テレビジョン放送受信部６１Ａは、コマンド変換部６５から供給されるコマンド信号ＣＯＭ１に基づいて、チューナ７０Ａでチャンネル番号「０５」のチャンネルを選局する。
【０１２１】
またテレビジョン放送受信部６１Ａは、コマンド変換部６５から供給されるコマンド信号ＣＯＭ２に基づいて、ＧＵＩデータ生成部７９Ａでチャンネル番号「０５」を示す文字データ「０５ｃｈ」を生成させ、これを復号映像データＤ５Ａに重畳させる。
【０１２２】
さらに分配器６２は、コマンド変換部６５から供給されるコマンド信号ＣＯＭ３に基づいて、テレビジョン放送受信部６１Ａから供給されるチャンネル番号「０５」の映像信号Ｓ７Ａを１フレーム毎に所定のタイミングで切り出すことにより、映像信号Ｓ７Ａの各フレームを２×２に等分割した各領域の映像信号を得、これらをそれぞれ液晶パネルＰＮＡ、ＰＮＢ、ＰＮＤ及びＰＮＥの表示サイズに拡大して得られる映像信号Ｓ９Ａ、Ｓ９Ｂ、Ｓ９Ｄ及びＳ９Ｅをそれぞれ液晶パネルＰＮＡ、ＰＮＢ、ＰＮＤ及びＰＮＥに分配する。
【０１２３】
またこのとき分配器６２は、テレビジョン放送受信部６１Ａから供給されるチャンネル番号「０５」の音声信号Ｓ６Ａの左側用音声信号を音声信号Ｓ８Ｄ、右側用音声信号を音声信号Ｓ８ＥとしてそれぞれスピーカＳＰＤ及びスピーカＳＰＥに分配する。
【０１２４】
この結果、図２１に示すように、液晶パネルＰＮＡ、ＰＮＢ、ＰＮＤ及びＰＮＥで構成される２×２画面にチャンネル番号「０５」の番組映像を拡大表示し、さらにこの２×２画面の左隅及び右隅にそれぞれ位置するスピーカＳＰＤ及びＳＰＥから番組音声を出力する。
【０１２５】
さらにＭＰＵ６４は、液晶ディスプレイ３Ｃについても、ユーザにチャンネルを指定させ、指定されたチャンネルの番組を出力させる。
【０１２６】
このように映像表示装置１は、ユーザに対して、視聴したいチャンネルの番組を２×２画面で視聴させ得ると共に、さらに別のチャンネルの番組を残りの液晶ディスプレイ３Ｃで視聴させ得るようになされている。
【０１２７】
かくして映像表示装置１は２×２モード時において、ユーザが視聴したいチャンネルの番組を液晶ディスプレイ３Ａ、３Ｂ、３Ｄ及び３Ｅの４つ（２×２）の液晶パネルＰＮＡ、ＰＮＢ、ＰＮＤ及びＰＮＥで構成する２×２画面で視聴させることができるので、液晶ディスプレイ３Ａ〜３Ｅのそれぞれに個々に映像を出力するよりも、より大画面で迫力のある映像をユーザに提供することができる。
【０１２８】
（２−４）ジャンルチェックモード
ジャンルチェックモードは、液晶ディスプレイ３（３Ａ〜３Ｅ）に割り当てている番組のジャンルをＥＰＧから取得し、同じジャンルの番組が複数存在する場合には、これらを割り当てている液晶ディスプレイ３（３Ａ〜３Ｅ）が隣接するように配置を変動させる動作モードである。以下、このジャンルチェックモード時における各部の処理を説明する。
【０１２９】
ＭＰＵ６４（図１３）は、赤外線受光部６３から供給される操作通知信号Ｓ２に基づいて、リモートコントローラＲＣに設けられた動作モード指定部８３のジャンルチェックモードボタンが押下されたことを認識すると、５チャンネルモード時と同様にリモートコントローラＲＣの操作に応じて、液晶ディスプレイ３Ａ〜３Ｅのそれぞれにユーザの所望するチャンネルを割り当てる。
【０１３０】
ＭＰＵ６４は、液晶ディスプレイ３Ａ〜３Ｅにそれぞれユーザに指定されたチャンネルを割り当てた後、通信部６６を介して外部データベース６７からＥＰＧデータＥＤを取得する。
【０１３１】
そしてＭＰＵ６４は、このＥＰＧデータＥＤに基づいて、液晶ディスプレイ３Ａ〜３Ｅのそれぞれに割り当てたチャンネルで現在放送されている番組のジャンルを特定し、さらに割り当てたチャンネルのなかで同じジャンルの番組を放送しているチャンネルが複数存在するか否かを判断する。因みにこのときＭＰＵ６４は、特定したジャンルをジャンル履歴データＪＤとして不揮発性メモリ６８に蓄積するようになされている。
【０１３２】
そして同じジャンルの番組を放送しているチャンネルが複数存在すると判断した場合（例えば割り当てた５つのチャンネルのなかにジャンルが「スポーツ」である番組を放送しているチャンネルが４つと、ジャンルが「ニュース」である番組を放送しているチャンネルが１つ存在する場合）、さらにＭＰＵ６４は、同じジャンルがいくつずつ存在しているかを判断する。
【０１３３】
ここでＭＰＵ６４は、例えば同じジャンルが４つと、これとは異なるジャンルが１つ存在していると判断すると、このジャンルの数に適した液晶ディスプレイ３（３Ａ〜３Ｅ）の配置（例えば配置パターンＤ）を選択する。
【０１３４】
例えば配置パターンＤを選択したＭＰＵ６４は、コマンド変換部６５に命令信号Ｓ３を送出することにより、コマンド変換部６５からコマンド信号ＣＯＭ４をディスプレイ支持部４（４Ａ〜４Ｅ）に送出させて液晶ディスプレイ３（３Ａ〜３Ｅ）を配置パターンＤで、かつ壁部２からの距離が等しい位置（同一平面上）に移動させる。
【０１３５】
さらにＭＰＵ６４は、コマンド変換部６５に命令信号Ｓ３を送出することにより、コマンド変換部６５からコマンド信号ＣＯＭ３を分配器６２に送出させて、図２２に示すように、このとき壁部２前面中央に位置する液晶ディスプレイ３Ａと、当該液晶ディスプレイ３Ａの右、下及び右下にそれぞれ隣接する液晶ディスプレイ３Ｃ、３Ｄ及び３Ｅとにジャンルが「スポーツ」の番組を放送している４つのチャンネルを１つずつ割り当て、さらに液晶ディスプレイ３Ａの左に位置する液晶ディスプレイ３Ｂにジャンルが「ニュース」の番組を放送している１つのチャンネルを割り当てるように、テレビジョン放送受信部６１（６１Ａ〜６１Ｅ）から供給される音声信号Ｓ６Ａ〜Ｓ６Ｅ及び映像信号Ｓ７Ａ〜Ｓ７Ｅを分配する。
【０１３６】
また、例えばユーザが指定した５つのチャンネルのなかにジャンルが「ドラマ」である番組を放送しているチャンネルが３つと、ジャンルが「映画」である番組を放送しているチャンネルが２つ存在する場合、図２３に示すように、ＭＰＵ６４は、液晶ディスプレイ３Ａ〜３Ｅを配置パターンＣに配置する。
【０１３７】
そしてＭＰＵ６４は、このとき壁部２前面中央に位置する液晶ディスプレイ３Ａと、当該液晶ディスプレイ３Ａの左及び右にそれぞれ隣接する液晶ディスプレイ３Ｂ及び３Ｃとにジャンルが「ドラマ」の番組を放送している３つのチャンネルをそれぞれ１つずつ割り当て、さらに液晶ディスプレイ３Ａの左下及び右下にそれぞれ位置する液晶ディスプレイ３Ｄ及び３Ｅにジャンルが「映画」の番組を放送している２つのチャンネルをそれぞれ１つずつ割り当てる。
【０１３８】
このように映像表示装置１は、液晶ディスプレイ３（３Ａ〜３Ｅ）に割り当てている番組のなかに、同じジャンルの番組が複数存在する場合には、同じジャンルがいくつずつ存在しているかに応じて液晶ディスプレイ３（３Ａ〜３Ｅ）を適切な配置パターンＡ〜Ｉに配置し、同じジャンルの番組映像及び番組音声を近接する液晶ディスプレイ３（３Ａ〜３Ｅ）に割り当てるようになされている。
【０１３９】
これにより映像表示装置１はジャンルチェックモード時において、ユーザが指定した番組をジャンル毎に分けた位置の液晶ディスプレイ３（３Ａ〜３Ｅ）で視聴させることができるので、同一ジャンルの番組映像を視線をそれほど動かさずに視聴させることができ、かくして複数の映像を見る際の利便性を向上させることができる。
【０１４０】
（３）動作モード処理手順
ここで、上述のような映像表示装置１における各動作モード時の処理は、図２４に示す動作モード処理手順ＲＴに従ったＭＰＵ６４（図１３）の制御のもとに行われる。
【０１４１】
実際上ＭＰＵ６４は、ユーザによりリモートコントローラＲＣ（図１４）の基本操作部８１に設けられた電源ボタンが押下されると、この動作モード処理手順ＲＴをステップＳＰ０において開始し、続くステップＳＰ１において、リモートコントローラＲＣの動作モード指定部８３に設けられたザッピングモードボタンが押下されたか否かを判断する。
【０１４２】
そしてＭＰＵ６４は、このステップＳＰ１において肯定結果を得ると、ザッピングモード処理を行うサブルーチンＳＲＴ１（図２５）に移る。
【０１４３】
ＭＰＵ６４は、このサブルーチンＳＲＴ１をステップＳＰ１０において開始し、続くステップＳＰ１１において、液晶ディスプレイ３（３Ａ〜３Ｅ）を配置パターンＡ（円形配置）で、かつ奥行きなしの位置（液晶ディスプレイ３（３Ａ〜３Ｅ）を最も壁部２に近づけた状態）に配置する。
【０１４４】
続いてＭＰＵ６４は、ステップＳＰ１２に進んで液晶ディスプレイ３（３Ａ〜３Ｅ）に割り当てるチャンネルを所定時間間隔毎に切り換え、この後サブルーチンＳＲＴ１を抜け、ステップＳＰ５（図２４）に移る。
【０１４５】
一方、ステップＳＰ１において否定結果を得ると、ＭＰＵ６４は、ステップＳＰ２に移り、リモートコントローラＲＣの動作モード指定部８３に設けられた５チャンネルモードボタンが押下されたか否かを判断する。
【０１４６】
そしてＭＰＵ６４は、このステップＳＰ２において肯定結果を得ると、５チャンネルモード処理を行うサブルーチンＳＲＴ２（図２６）に移る。
【０１４７】
ＭＰＵ６４は、このサブルーチンＳＲＴ２をステップＳＰ２０において開始し、続くステップＳＰ２１において、液晶ディスプレイ３（３Ａ〜３Ｅ）を配置パターンＡ（円形配置）で、かつ奥行きをつけた位置（液晶ディスプレイ３Ｄ及び３Ｅをユーザから見て最も手前の位置に移動し、当該位置よりも奥の位置に液晶ディスプレイ３Ｂ及び３Ｃを移動し、さらにその奥の位置に液晶ディスプレイ３Ａを移動した状態）に配置する。
【０１４８】
続いてＭＰＵ６４は、ステップＳＰ２２に進んで液晶ディスプレイ３（３Ａ〜３Ｅ）のチャンネルを指定するチャンネル番号が入力されるまで待ち受ける。
【０１４９】
そしてＭＰＵ６４は、操作通知信号Ｓ２を介してチャンネル番号が入力されたことを認識すると、ステップＳＰ２３に進んでユーザの指定した液晶ディスプレイ３（３Ａ〜３Ｅ）に対して、入力されたチャンネル番号のチャンネルを割り当てる。
【０１５０】
続いてＭＰＵ６４は、ステップＳＰ２４に進んで全ての液晶ディスプレイ３（３Ａ〜３Ｅ）に対してチャンネルが割り当てられたか否かを判断する。
【０１５１】
そしてＭＰＵ６４は、このステップＳＰ２４において否定結果を得ると、再びステップＳＰ２２に戻り、まだチャンネルが割り当てられていない液晶ディスプレイ３（３Ａ〜３Ｅ）に対してチャンネルを割り当てる。
【０１５２】
これに対してこのステップＳＰ２４において肯定結果を得ると、ＭＰＵ６４は、サブルーチンＳＲＴ２を抜け、ステップＳＰ５（図２４）に移る。
【０１５３】
一方、ステップＳＰ２において否定結果を得ると、ＭＰＵ６４は、ステップＳＰ３に移り、リモートコントローラＲＣの動作モード指定部８３に設けられた２×２モードボタンが押下されたか否かを判断する。
【０１５４】
そしてＭＰＵ６４は、このステップＳＰ３において肯定結果を得ると、２×２モード処理を行うサブルーチンＳＲＴ３（図２７）に移る。
【０１５５】
ＭＰＵ６４は、このサブルーチンＳＲＴ３をステップＳＰ３０において開始し、続くステップＳＰ３１において、液晶ディスプレイ３（３Ａ〜３Ｅ）を配置パターンＣ（２×２画面）で、かつ同一平面上に配置する。
【０１５６】
続いてＭＰＵ６４は、ステップＳＰ３２に進んで２×２画面のチャンネルを指定するチャンネル番号が入力されるまで待ち受ける。
【０１５７】
そしてＭＰＵ６４は、操作通知信号Ｓ２を介してチャンネル番号が入力されたことを認識すると、ステップＳＰ３３に進んで２×２画面に対して、入力されたチャンネル番号のチャンネルを割り当てる。
【０１５８】
続いてＭＰＵ６４は、ステップＳＰ３４に進んで残りの画面（液晶ディスプレイ３Ｃ）のチャンネルを指定するチャンネル番号が入力されるまで待ち受ける。
【０１５９】
そしてＭＰＵ６４は、操作通知信号Ｓ２を介してチャンネル番号が入力されたことを認識すると、ステップＳＰ３５に進んでこの残りの画面（液晶ディスプレイ３Ｃ）に対して、入力されたチャンネル番号のチャンネルを割り当て、この後サブルーチンＳＲＴ３を抜け、ステップＳＰ５（図２４）に移る。
【０１６０】
一方、ステップＳＰ３において否定結果を得ると、ＭＰＵ６４は、ステップＳＰ４に移り、リモートコントローラＲＣの動作モード指定部８３に設けられたジャンルチェックモードボタンが押下されたか否かを判断する。
【０１６１】
そしてＭＰＵ６４は、このステップＳＰ４において肯定結果を得ると、ジャンルチェックモード処理を行うサブルーチンＳＲＴ４（図２８）に移る。
【０１６２】
ＭＰＵ６４は、このサブルーチンＳＲＴ４をステップＳＰ４０において開始し、続くステップＳＰ４１において、全ての液晶ディスプレイ３（３Ａ〜３Ｅ）に対してチャンネルが割り当てられるまで待ち受ける。
【０１６３】
そしてＭＰＵ６４は、操作通知信号Ｓ２を介して全ての液晶ディスプレイ３（３Ａ〜３Ｅ）に対してチャンネル番号が入力されたことを認識すると、全ての液晶ディスプレイ３（３Ａ〜３Ｅ）に対してチャンネルが割り当てられたと判断し、ステップＳＰ４２に進む。
【０１６４】
ＭＰＵ６４は、このステップＳＰ４２において、ＥＰＧデータＥＤをもとに、各液晶ディスプレイ３（３Ａ〜３Ｅ）に割り当てているチャンネルで放送されている番組のジャンルを特定する。
【０１６５】
続いてＭＰＵ６４は、ステップＳＰ４３に進んで液晶ディスプレイ３（３Ａ〜３Ｅ）に割り当てているチャンネルのなかで、同一ジャンルの番組を放送しているチャンネルが複数存在するか否かを判断する。
【０１６６】
そしてＭＰＵ６４は、このステップＳＰ４３において否定結果を得ると、サブルーチンＳＲＴ４を抜け、ステップＳＰ５（図２４）に移る。
【０１６７】
これに対してＭＰＵ６４は、このステップＳＰ４３において肯定結果を得ると、ステップＳＰ４４に進んで、液晶ディスプレイ３（３Ａ〜３Ｅ）を所定の配置パターンＡ〜Ｉに配置すると共に、同一ジャンルの番組を放送しているチャンネルを近接する液晶ディスプレイ３（３Ａ〜３Ｅ）に割り当て、この後サブルーチンＳＲＴ４を抜け、ステップＳＰ５（図２４）に移る。
【０１６８】
そしてＭＰＵ６４は、ステップＳＰ５において、リモートコントローラＲＣの基本操作部８１の電源ボタンが押下されたか否かを判断する。
【０１６９】
そしてＭＰＵ６４は、このステップＳＰ６４において否定結果を得ると、再びステップＳＰ１に戻る。これに対してＭＰＵ６４は、このステップＳＰ６４において肯定結果を得ると、ステップＳＰ６に進んで、動作モード処理手順ＲＴを終了する。
【０１７０】
このようにしてＭＰＵ６４は、ザッピングモード、５チャンネルモード、２×２モード及びジャンルチェックモードの各動作モードを実行することができるようになされている。
【０１７１】
（４）本実施の形態の動作及び効果
以上の構成において、この映像表示装置１では、複数の液晶ディスプレイ３（３Ａ〜３Ｅ）を前方のユーザから見て円形の配置となるようにディスプレイ支持部４（４Ａ〜４Ｅ）を介して支持すると共に、信号処理部５の制御に基づいてこれら各液晶ディスプレイ３（３Ａ〜３Ｅ）の液晶パネルＰＮ（ＰＮＡ〜ＰＮＥ）に番組映像を表示する。
【０１７２】
ここで、複数の液晶ディスプレイ３（３Ａ〜３Ｅ）を格子状配置、直線（上下）配置及び円形配置にした場合の、それぞれの配置における映像の見易さを数値化する実験の結果を図２９に示す。
【０１７３】
この実験においては、１秒間だけ映像が少し変化するシーン（以下、これをイベントシーンと呼ぶ）を複数回ランダムに挿入した映像を格子状配置、直線配置及び円形配置における各液晶ディスプレイ３（３Ａ〜３Ｅ）の液晶パネルＰＮ（ＰＮＡ〜ＰＮＥ）に個々に表示し、このイベントシーンを被験者が発見できた割合（以下、これをイベントシーン発見率と呼ぶ）を数値化した。
【０１７４】
図２９（Ａ）の格子状配置の場合、各液晶ディスプレイ３（３Ａ〜３Ｅ）におけるイベントシーン発見率の平均値は６９％で、かつ各液晶ディスプレイ３（３Ａ〜３Ｅ）におけるイベントシーン発見率にムラがある。この結果、格子状配置の場合、映像を見る際のユーザの視線の動きがスムーズでないことが分かる。
【０１７５】
図２９（Ｂ）の直線配置の場合、各液晶ディスプレイ３（３Ａ〜３Ｅ）におけるイベントシーン発見率の平均値は６４％で、しかも直線の上端に配置された液晶ディスプレイ３Ａにおけるイベントシーン発見率が極端に低い。この結果、直線配置の場合、直線の上端に配置された液晶ディスプレイ３Ａの液晶パネルＰＮＡに表示される映像がユーザの視野内に収まりにくいことが分かる。
【０１７６】
これらに対して図２９（Ｃ）の円形配置の場合、各液晶ディスプレイ３（３Ａ〜３Ｅ）におけるイベントシーン発見率の平均値は７３％で格子状配置及び直線配置のものよりも高く、かつ各液晶ディスプレイ３（３Ａ〜３Ｅ）におけるイベントシーン発見率が均一である。この結果、円形配置の場合、複数の映像を見る際のユーザの視線の動きがスムーズで、かつ複数の映像がユーザの視野内に収まることにより、各液晶ディスプレイ３（３Ａ〜３Ｅ）の表示パネルＰＮ（ＰＮＡ〜ＰＮＥ）に個々に表示した映像をユーザが満遍なく見ていることが分かる。
【０１７７】
従って、この実験結果からも、複数の液晶ディスプレイ３（３Ａ〜３Ｅ）を前方のユーザから見て円形の配置にすることにより、各液晶ディスプレイ３（３Ａ〜３Ｅ）の表示パネルＰＮ（ＰＮＡ〜ＰＮＥ）に表示される映像を一段と見易くし得ることが確認できた。
【０１７８】
以上の構成によれば、前方のユーザから見て円形に配置された複数の液晶ディスプレイ３（３Ａ〜３Ｅ）の液晶パネルＰＮ（ＰＮＡ〜ＰＮＥ）に映像を表示するようにしたことにより、各液晶パネルＰＮ（ＰＮＡ〜ＰＮＥ）間におけるユーザの視線の動きが円軌道となるため視線の動きをスムーズにすることができると共に、各液晶パネルＰＮ（ＰＮＡ〜ＰＮＥ）に表示される映像をユーザの視野内に収めることができ、かくして複数の映像を従来と比して一段と見易く表示し得る映像表示装置及び映像表示方法を実現できる。
【０１７９】
また本実施の映像表示装置１によれば、ザッピングモード時、それぞれ異なる５チャンネルの番組映像及び番組音声を所定時間間隔毎に切り換えながら液晶ディスプレイ３Ａ〜３Ｅを介して出力させるようにしたことにより、ユーザにわざわざチャンネル切換操作を行わせることなく、現在各チャンネルで放送されている番組の番組映像及び番組音声を確認させることができる。
【０１８０】
さらに本実施の映像表示装置１によれば、５チャンネルモード時、液晶ディスプレイ３（３Ａ〜３Ｅ）を奥行きに変化をつけた配置にすると共に、当該各液晶ディスプレイ３（３Ａ〜３Ｅ）のそれぞれにユーザの指定したチャンネルの番組映像及び番組音声を出力させるようにしたことにより、５チャンネル分の番組を同時に視聴させ得ると共に、各液晶ディスプレイ３（３Ａ〜３Ｅ）とユーザとの距離が異なるので、ユーザを複数の液晶ディスプレイ３（３Ａ〜３Ｅ）から出力される番組映像の特定の番組映像に集中させ易くすることができる。
【０１８１】
さらに本実施の映像表示装置１によれば、２×２モード時、液晶でディスプレイ３（３Ａ〜３Ｅ）を配置パターンＣに配置して液晶ディスプレイ３Ａ、３Ｂ、３Ｄ及び３Ｅの４つ（２×２）の液晶パネルＰＮＡ、ＰＮＢ、ＰＮＤ及びＰＮＥで２×２画面を構成し、この２×２画面に１つの番組映像を拡大表示するようにしたことにより、液晶ディスプレイ３Ａ〜３Ｅのそれぞれに個々に映像を出力するよりも、より大画面で迫力のある映像をユーザに提供することができる。
【０１８２】
さらに本実施の映像表示装置１によれば、ジャンルチェックモード時、液晶ディスプレイ３（３Ａ〜３Ｅ）に割り当てている番組のなかに、同じジャンルの番組が複数存在する場合には、同じジャンルがいくつずつ存在しているかに応じて液晶ディスプレイ３（３Ａ〜３Ｅ）を適切な配置パターンＡ〜Ｉに配置し、同じジャンルの番組映像及び番組音声を近接する液晶ディスプレイ３（３Ａ〜３Ｅ）に割り当てるようしたことにより、番組をジャンル毎に分けた位置の液晶ディスプレイ３（３Ａ〜３Ｅ）で視聴させることができるので、同一ジャンルの番組映像を視線をそれほど動かさずに視聴させることができ、かくして複数の映像を見る際の利便性を向上させることができる。
【０１８３】
（５）他の実施の形態
なお上述の実施の形態においては、ディスプレイ支持部４（４Ａ〜４Ｅ）を介して液晶ディスプレイ３（３Ａ〜３Ｅ）を可動自在に支持するようにした場合について述べたが、本発明はこれに限らず、例えば図３０に示すように、壁部２前面の所定位置に同じ長さのディスプレイ支持部９０（９０Ａ〜９０Ｅ）を垂設し、当該ディスプレイ支持部９０（９０Ａ〜９０Ｅ）の開放端を液晶ディスプレイ３（３Ａ〜３Ｅ）の背面に固定することにより、当該液晶ディスプレイ３（３Ａ〜３Ｅ）を円形の配置でかつ同一平面上（奥行きが等しい）に固定して支持するようにしてもよい。
【０１８４】
また図３１に示すように、壁部２前面の所定位置に異なる長さのディスプレイ支持部９１（９１Ａ〜９１Ｅ）を垂設し、当該ディスプレイ支持部９１（９１Ａ〜９１Ｅ）の開放端に液晶ディスプレイ３（３Ａ〜３Ｅ）の背面を固定することにより、当該液晶ディスプレイ３（３Ａ〜３Ｅ）を円形の配置でかつ複数平面上（奥行きが異なる）に固定して支持するようにしてもよい。
【０１８５】
さらに図３２に示すように、壁部２前面の所定位置にシリンダ９２（９２Ａ〜９２Ｅ）を垂設し、当該シリンダ９２（９２Ａ〜９２Ｅ）に挿入したピストン９３（９３Ａ〜９３Ｅ）の開放端を液晶ディスプレイ３（３Ａ〜３Ｅ）の背面に固定することにより、当該液晶ディスプレイ３（３Ａ〜３Ｅ）を円形の配置でかつ前後方向に可動自在に支持して、当該液晶ディスプレイ３（３Ａ〜３Ｅ）を壁部２前面から遠ざけたり、近づけたりするようにしてもよい。
【０１８６】
さらに図３３に示すように、壁部２前面の中央に、その出力軸９４が当該壁部２の前面に対して垂直となるように第１のモータ部９５を取り付けると共に、当該出力軸９４に所定の大きさでなる円板９６の背面を固定し、さらに当該円板９６前面の所定位置に、その出力軸９７（９７Ａ〜９７Ｅ）が当該円板９６の前面に対して垂直となるように第２のモータ部９８（９８Ａ〜９８Ｅ）を取り付けると共に、当該出力軸９７（９７Ａ〜９７Ｅ）に液晶ディスプレイ３（３Ａ〜３Ｅ）の背面を固定することにより、円板９６を壁部２前面と平行に回転させると共に、液晶ディスプレイ３（３Ａ〜３Ｅ）を当該円板９６前面と平行に回転させるようにしてもよい。この場合、円板９６の回転と液晶ディスプレイ３（３Ａ〜３Ｅ）の回転とをそれぞれ独立に制御することにより、当該円板９６を回転させても、液晶ディスプレイ３（３Ａ〜３Ｅ）における上下左右の向きを一定に保つことができる。
【０１８７】
また上述の実施の形態においては、表示手段として液晶パネルＰＮ（ＰＮＡ〜ＰＮＥ）を用いるようにした場合について述べたが、本発明はこれに限らず、液晶パネルＰＮ（ＰＮＡ〜ＰＮＥ）の代わりにプラズマパネルやＥＬ（Electro Luminescence）パネル等、種々の表示デバイスを用いるようにしてもよい。
【０１８８】
さらに上述の実施の形態においては、５枚の液晶パネルＰＮ（ＰＮＡ〜ＰＮＥ）を用いるようにした場合について述べたが、本発明はこれに限らず、ユーザの視野内に収まる範囲であれば、１０枚、あるいは１５枚といった数の表示パネルＰＮを用いるようにしてもよい。
【０１８９】
さらに上述の実施の形態においては、垂直な壁部２の前面にディスプレイ支持部４（４Ａ〜４Ｅ）を固定し、当該ディスプレイ支持部４（４Ａ〜４Ｅ）を介して液晶ディスプレイ３（３Ａ〜３Ｅ）を可動自在に支持する場合について述べたが、本発明はこれに限らず、ディスプレイ支持部４（４Ａ〜４Ｅ）を固定し得るものであれば、例えば壁部２の代わりに垂直なポール等を用いるようにしてもよい。
【０１９０】
さらに上述の実施の形態においては、インターネット上の外部データベース６７からジャンル情報取得手段としての通信部６６を介してＥＰＧデータＥＤを取得するようにした場合について述べたが、本発明はこれに限らず、例えばテレビジョン放送波Ｓ４に重畳されてくるＥＰＧデータを当該テレビジョン放送波Ｓ４から分離して取得するようにしてもよいし、映像のジャンルを特定し得るデータであれば、この他種々のデータを取得するようにしてもよい。
【０１９１】
さらに上述の実施の形態においては、５チャンネルモード又は２×２モードが選択された場合、まず始めに５チャンネルモード時には液晶ディスプレイ３Ａ〜３Ｅの５つに対して、２×２モード時には２×２画面及び液晶ディスプレイ３Ｃの２つに対してユーザにチャンネルを指定させるようにした場合について述べたが、本発明はこれに限らず、例えば不揮発性メモリ６８に蓄積している操作履歴データＯＤに基づいて、ユーザが視聴する頻度の高いチャンネルを５チャンネルモード時にはその頻度が高い順に５つ、２×２モード時には２つ選択し、これらを液晶ディスプレイ３Ａ〜３Ｅの５つ、又は２×２画面及び液晶ディスプレイ３Ｃの２つに自動的に割り当てるようにしてもよいし、また予め所望のチャンネルを優先度毎に優先度情報としてユーザに登録させて不揮発性メモリ６８に記憶し、これらを動作モード選択時にその優先度に基づいて自動的に液晶ディスプレイ３（３Ａ〜３Ｅ）に割り当てるようにしてもよい。この場合、ユーザによる操作を減らすことができると共に、ユーザの好みに合わせたチャンネルの番組を提供し得るので、一段と利便性を高めることができる。
【０１９２】
さらに上述の実施の形態においては、ジャンルチェックモードが選択された場合、まず始めに液晶ディスプレイ３Ａ〜３Ｅの５つに対してユーザにチャンネルを指定させるようにした場合について述べたが、本発明はこれに限らず、例えば不揮発性メモリ６８に蓄積しているジャンル履歴データＪＤに基づいて、ユーザが視聴する頻度の高いジャンルをその頻度が高い順に複数（例えば２つ）選択すると共に、外部データベース６７から取得するＥＰＧデータＥＤに基づいて、このとき放送されている番組の中からジャンル履歴データＪＤをもとに選択した複数のジャンルに該当する番組を５つ選択し、当該５つの番組のチャンネルをそれぞれ液晶ディスプレイ３Ａ〜３Ｅに自動的に割り当てるようにしてもよいし、また予め所望のジャンルを優先度毎に優先度情報としてユーザに登録させて不揮発性メモリ６８に記憶し、これらのジャンルに該当する番組を放送中のチャンネルをジャンルチェックモード選択時に自動的に液晶ディスプレイ３（３Ａ〜３Ｅ）に割り当てるようにしてもよい。この場合、ユーザによる操作を減らすことができると共に、ユーザの好みに合わせたジャンルの番組を提供し得るので、一段と利便性を高めることができる。
【０１９３】
さらに上述の実施の形態においては、操作履歴情報記憶手段、優先度情報記憶手段及びジャンル履歴情報記憶手段として不揮発性メモリ６８を用いるようにした場合について述べたが、本発明はこれに限らず、ハードディスク等の種々の記憶デバイスを用いるようにしてもよい。
【０１９４】
さらに上述の実施の形態においては、表示手段としての表示パネルＰＮ（ＰＮＡ〜ＰＮＥ）や、支持手段としてのディスプレイ支持部４（４Ａ〜４Ｅ）や、駆動制御手段としての信号処理部５や、ジャンル情報取得手段としての通信部６６や、操作履歴情報記憶手段、優先度情報記憶手段及びジャンル履歴情報記憶手段としての不揮発性メモリ６８によって映像表示装置１を構成するようにした場合について述べたが、本発明はこれに限らず、この他種々の構成で映像表示装置を構成するようにしてもよい。
【産業上の利用可能性】
【０１９５】
本発明は、例えばマルチパネル型のテレビジョン受像機に利用することができる。
【図面の簡単な説明】
【０１９６】
【図１】本実施の形態による映像表示装置の全体構成を示す略線図である。
【図２】液晶ディスプレイの構成を示す略線図である。
【図３】ディスプレイ支持部（４Ａ）の構成（右側面）を示す略線図である。
【図４】ディスプレイ支持部（４Ａ）の構成（正面）を示す略線図である。
【図５】ディスプレイ支持部（４Ａ）の構成（上面）を示す略線図である。
【図６】ディスプレイ支持部（４Ｂ〜４Ｅ）の構成（右側面）を示す略線図である。
【図７】ディスプレイ支持部（４Ｂ〜４Ｅ）の構成（正面）を示す略線図である。
【図８】ディスプレイ支持部（４Ｂ〜４Ｅ）の構成（上面）を示す略線図である。
【図９】各液晶ディスプレイの可動範囲（上下左右方向）を示す略線図である。
【図１０】液晶ディスプレイの配置パターン（１）を示す略線図である。
【図１１】液晶ディスプレイの配置パターン（２）を示す略線図である。
【図１２】各液晶ディスプレイの可動範囲（前後方向）を示す略線図である。
【図１３】信号処理部の回路構成を示すブロック図である。
【図１４】リモートコントローラの構成を示す略線図である。
【図１５】ザッピングモード時の配置を示す略線図である。
【図１６】ザッピングモード時の番組映像表示例を示す略線図である。
【図１７】ザッピングモード時のチャンネル切換例を示す略線図である。
【図１８】５チャンネルモード時の配置を示す略線図である。
【図１９】液晶ディスプレイ指定時の映像を示す略線図である。
【図２０】２×２モード時の配置を示す略線図である。
【図２１】２×２モード時の番組映像表示例を示す略線図である。
【図２２】ジャンルチェックモード時の配置例（１）を示す略線図である。
【図２３】ジャンルチェックモード時の配置例（２）を示す略線図である。
【図２４】動作モード処理手順を示すフローチャートである。
【図２５】サブルーチン（ザッピングモード）を示すフローチャートである。
【図２６】サブルーチン（５チャンネルモード）を示すフローチャートである。
【図２７】サブルーチン（２×２モード）を示すフローチャートである。
【図２８】サブルーチン（ジャンルチェックモード）を示すフローチャートである。
【図２９】実験結果を示す略線図である。
【図３０】他の実施の形態による映像表示装置の構成（１）を示す略線図である。
【図３１】他の実施の形態による映像表示装置の構成（２）を示す略線図である。
【図３２】他の実施の形態による映像表示装置の構成（３）を示す略線図である。
【図３３】他の実施の形態による映像表示装置の構成（４）を示す略線図である。
【符号の説明】
【０１９７】
１……映像表示装置、２……壁部、３Ａ〜３Ｅ……液晶ディスプレイ、４Ａ〜４Ｅ、８０Ａ〜８０Ｅ、８１Ａ〜８１Ｅ……ディスプレイ支持部、５……信号処理部、６４……ＭＰＵ、６５……コマンド変換部、６６……通信部、６８……不揮発性メモリ、ＰＮＡ〜ＰＮＥ……液晶パネル、ＳＰＡ〜ＳＰＥ……スピーカ、ＲＣ……リモートコントローラ。
【図１】
0004725764.tif 000002
【図２】
0004725764.tif 000003
【図３】
0004725764.tif 000004
【図４】
0004725764.tif 000005
【図５】
0004725764.tif 000006
【図６】
0004725764.tif 000007
【図７】
0004725764.tif 000008
【図８】
0004725764.tif 000009
【図９】
0004725764.tif 000010
【図１０】
0004725764.tif 000011
【図１１】
0004725764.tif 000012
【図１２】
0004725764.tif 000013
【図１３】
0004725764.tif 000014
【図１４】
0004725764.tif 000015
【図１５】
0004725764.tif 000016
【図１６】
0004725764.tif 000017
【図１７】
0004725764.tif 000018
【図１８】
0004725764.tif 000019
【図１９】
0004725764.tif 000020
【図２０】
0004725764.tif 000021
【図２１】
0004725764.tif 000022
【図２２】
0004725764.tif 000023
【図２３】
0004725764.tif 000024
【図２４】
0004725764.tif 000025
【図２５】
0004725764.tif 000026
【図２６】
0004725764.tif 000027
【図２７】
0004725764.tif 000028
【図２８】
0004725764.tif 000029
【図２９】
0004725764.tif 000030
【図３０】
0004725764.tif 000031
【図３１】
0004725764.tif 000032
【図３２】
0004725764.tif 000033
【図３３】
0004725764.tif 000034